(57)【要約】【課題】本体の天井への設置作業時に、本体を容易に仮固定することができ、安定した状態で設置作業ができるとともに、メンテナンス時に本体を下方からの作業で容易に降ろすことができる浴室換気乾燥機を提供することを目的とする。【解決手段】本体５の対向する側面１１に外方に膨出し下方を開口した仮固定金具係合部１２を形成し、吊り枠８に、上方に向けてばね性を有した仮固定金具９を、下方から取り外し自在に立設し、本体５の吊り枠８への挿入固定時、仮固定金具係合部１２は仮固定金具９を通過した後に、本体５が自重によって降下し、仮固定金具９の上端部に係合して、本体５を仮固定する構成としたことにより、本体５の天井への設置作業が、安定した状態で行うことができ、しかも、メンテナンス時には、本体５を下方へ容易に降ろすことができることとなる。【選択図】図２
2010038424.tif 000002
【特許請求の範囲】
【請求項１】
浴室内の空気を吸い込んで浴室内に吹き出す循環用送風機と、浴室内の空気を吸い込んで室外へ排気する換気用送風機とを備えた本体を、天井に固定した吊り枠に挿入固定して設置する天井埋め込み型の浴室換気乾燥機であって、前記本体の対向する側面に外方に膨出し下方を開口した仮固定金具係合部を形成し、前記吊り枠に下端部を固着し上方に向けて仮固定金具を立設し、前記仮固定金具はばね性を有し、下方から取り外し自在に設けられるとともに、前記本体の前記吊り枠への挿入固定時に、前記仮固定金具係合部は前記仮固定金具を外方へ弾性変形させ、前記仮固定金具を通過後に前記本体の自重によって前記仮固定金具の上端部に係合して前記本体を仮固定する構成としたことを特徴とする浴室換気乾燥機。
【請求項２】
仮固定金具係合部は、下方が開口した袋状に形成された請求項１に記載の浴室換気乾燥機。
【請求項３】
仮固定金具は、上部側が本体の側面側に向くように傾斜した形状とした請求項１または２に記載の浴室換気乾燥機。
【請求項４】
仮固定金具は、上下方向の中途部分が本体の側面側に向くように傾斜した形状とした請求項３に記載の浴室換気乾燥機。
【請求項５】
仮固定金具は、対向する上端部間の寸法を本体の対向する側面間の寸法より若干小さくした請求項１〜４のいずれかに記載の浴室換気乾燥機。
【請求項６】
仮固定金具の上端部に、本体の仮固定時に仮固定金具係合部の開口部に当接する水平片を形成した請求項１〜５のいずれかに記載の浴室換気乾燥機。
【請求項７】
仮固定金具の水平片の大きさを仮固定金具係合部の開口部より大きく形成した請求項６に記載の浴室換気乾燥機。
【請求項８】
仮固定金具の水平片の両端部に、上方に折曲した垂直片を形成した請求項７に記載の浴室換気乾燥機。
【請求項９】
浴室内の空気を吸い込んで浴室内に吹き出す循環用送風機と、浴室内の空気を吸い込んで室外へ排気する換気用送風機とを備えた本体を、天井壁から吊り下げ固定した吊り枠に挿入固定して取り付け固定する天井埋め込み型の浴室換気乾燥機であって、前記本体の対向する側面に外方に膨出し下方を開口した仮固定金具係合部を形成し、前記吊り枠に下端部を固着し上方に向けて仮固定金具を立設し、前記仮固定金具はばね性を有し、上端部側が略くの字状で本体の側面側にくの字の突部が向くように形成され、前記本体の前記吊り枠への挿入固定時に、前記仮固定金具係合部は前記仮固定金具を外方へ弾性変形させ、前記仮固定金具を通過後に前記本体の自重によって前記仮固定金具の略くの字状の突部に係合して前記本体を仮固定する構成としたことを特徴とする浴室換気乾燥機。
【請求項１０】
本体の側面に膨出して下方に開口した仮固定金具係合部に変えて、本体の側面に仮固定金具の略くの字状の突部が係合する開口を設けた請求項９に記載の浴室換気乾燥機。
【発明の詳細な説明】
【技術分野】
【０００１】
浴室の天井に形成された天井開口に下面側を臨ませて天井に埋め込み設置する天井埋め込み型の浴室換気乾燥機に関する。
【背景技術】
【０００２】
従来より、天井埋め込み型の浴室換気乾燥機の設置作業は、本体を片手で押し上げながらもう一方の手でねじ止め固定しており、施工が容易でなく手間がかかっていたので、設置作業時に本体を天井に挿入すると仮固定され、その後ねじ止め固定する空調機が提供されている（例えば、特許文献１参照）。
【０００３】
以下、その空調機について、図１５を参照しながら説明する。
【０００４】
図に示すように、空調機本体１０１は天井開口１０２に下方から挿入して天井裏に通過可能なサイズであり、その対向する２つの側面に仮止め部材１０３を備えている。仮止め部材１０３は、空調機本体１０１が天井開口１０２を通過している間は弾性変形して空調機本体１０１の通過を許容し、空調機本体１０１が天井裏に埋め込まれた位置にくると自然形状に復帰し、その下端部側が天井１０４の裏面に当接して脱落を防止する仮固定をなす弾性部材で構成され、この仮固定の後、空調機本体１０１を天井１０４に固定部材１０５によって正規に固定する。
【特許文献１】特開２００２−１３０７９７号公報（段落０００９〜００１１、図７，８）
【発明の開示】
【発明が解決しようとする課題】
【０００５】
このような従来の浴室換気乾燥機では、本体１０１の側面に取り付けた仮止め部材１０３が本体１０１の天井挿入後に外方へ広がり、天井１０４の裏面に当接して仮固定状態になるので、メンテナンス時に本体１０１を下方に降ろす場合、天井１０３に設けた点検口側に仮止め部材１０３があって仮止め部材１０３を取り外すことができる場合でなければ、本体１０１を下方からの作業だけでは降ろせなくなるという課題があった。
【０００６】
本発明は、このような従来の課題を解決するものであり、本体の天井への設置作業時に、本体を容易に仮固定することができ、安定した状態で設置作業ができるとともに、メンテナンス時に本体を下方からの作業で容易に降ろすことができる浴室換気乾燥機を提供することを目的とする。
【課題を解決するための手段】
【０００７】
本発明の浴室換気乾燥機は、上記目的を達成するために、浴室内の空気を吸い込んで浴室内に吹き出す循環用送風機と、浴室内の空気を吸い込んで室外へ排気する換気用送風機とを備えた本体を、天井に固定した吊り枠に挿入固定して設置する天井埋め込み型の浴室換気乾燥機であって、前記本体の対向する側面に外方に膨出し下方を開口した仮固定金具係合部を形成し、前記吊り枠に下端部を固着し上方に向けて仮固定金具を立設し、前記仮固定金具はばね性を有し、下方から取り外し自在に設けられるとともに、前記本体の前記吊り枠への挿入固定時に、前記仮固定金具係合部は前記仮固定金具を外方へ弾性変形させ、前記仮固定金具を通過後に前記本体の自重によって前記仮固定金具の上端部に係合して前記本体を仮固定する構成としたものである。
【０００８】
また、他の手段は、仮固定金具係合部は、下方が開口した袋状に形成されたものである。
【０００９】
また、他の手段は、仮固定金具は、上部側が本体の側面側に向くように傾斜した形状としたものである。
【００１０】
また、他の手段は、係合板は、上下方向の中途部分が本体の側面側に向くように傾斜した形状としたものである。
【００１１】
また、他の手段は、仮固定金具は、対向する上端部間の寸法を本体の対向する側面間の寸法より若干小さくしたものである。
【００１２】
また、他の手段は、仮固定金具の上端部に、本体の仮固定時に仮固定金具係合部の開口部に当接する水平片を形成したものである。
【００１３】
また、他の手段は、係合板の水平部の大きさを仮固定係合部の開口部より大きく形成したものである。
【００１４】
また、他の手段は、仮固定金具の水平片の両端部に、上方に折曲した垂直片を形成したものである。
【００１５】
また、他の手段は、浴室内の空気を吸い込んで浴室内に吹き出す循環用送風機と、浴室内の空気を吸い込んで室外へ排気する換気用送風機とを備えた本体を、天井壁から吊り下げ固定した吊り枠に挿入固定して取り付け固定する天井埋め込み型の浴室換気乾燥機であって、前記本体の対向する側面に外方に膨出し下方を開口した仮固定金具係合部を形成し、前記吊り枠に下端部を固着し上方に向けて仮固定金具を立設し、前記仮固定金具はばね性を有し、上端部側が略くの字状で本体の側面側にくの字の突部が向くように形成され、前記本体の前記吊り枠への挿入固定時に、前記仮固定金具係合部は前記仮固定金具を外方へ弾性変形させ、前記仮固定金具を通過後に前記本体の自重によって前記仮固定金具の略くの字状の突部に係合して前記本体を仮固定する構成としたものである。
【００１６】
また、他の手段は、本体の側面に膨出して下方に開口した仮固定金具係合部に変えて、本体の側面に仮固定金具の略くの字状の突部が係合する開口を設けたものである。
【発明の効果】
【００１７】
本発明によれば、本体の対向する側面に外方に膨出し下方を開口した仮固定金具係合部を形成し、吊り枠に下端部を固着し上方に向けて仮固定金具を立設し、仮固定金具はばね性を有し、下方から取り外し自在に設けられるとともに、本体の吊り枠への挿入固定時に、仮固定金具係合部は仮固定金具を外方へ弾性変形させ、仮固定金具を通過後に本体の自重によって仮固定金具の上端部に係合して本体を仮固定する構成としたことにより、本体の天井への設置作業が、仮固定した後にねじ止め等で固定することができるので、安定した状態で行うことができ、しかも、メンテナンス時には、本体を下方へ容易に降ろすことができるという効果のある浴室換気乾燥機を提供することができる。
【００１８】
また、仮固定金具係合部は、下方が開口した袋状に形成されたことにより、本体の天井への設置時に、本体をスムーズに押し上げることができ、作業性が向上する。
【００１９】
また、仮固定金具は、上部側が本体の側面側に向くように傾斜した形状としたことにより、本体の仮固定が容易にできるようになって、天井への設置作業がより安定した状態で行うことができる。
【００２０】
また、仮固定金具は、上下方向の中途部分が本体の側面側に向くように傾斜した形状としたことにより、本体の仮固定がより容易にできるようになって、天井への設置作業がより安定した状態で行うことができる。
【００２１】
また、仮固定金具は、対向する上端部間の寸法を本体の対向する側面間の寸法より若干小さくしたことにより、本体の仮固定が、容易かつ確実にできることとなる。
【００２２】
また、仮固定金具の上端部に、本体の仮固定時に仮固定金具係合部の開口部に当接する水平片を形成したことにより、安定した状態で仮固定が保持され、設置作業性が向上する。
【００２３】
また、仮固定金具の水平片の大きさを仮固定金具係合部の開口部より大きく形成したことにより、確実に、安定した仮固定状態で設置作業を行うことができることとなる。
【００２４】
また、仮固定金具の水平片の大きさを仮固定金具係合部の開口部より大きく形成したことにより、仮固定金具の水平片と仮固定金具係合部の開口部との当接が側方にずれてなされることがなくなり、その当接がより確実なものとなる。
【００２５】
また、本体の対向する側面に外方に膨出し下方を開口した仮固定金具係合部を形成し、吊り枠に下端部を固着し上方に向けて仮固定金具を立設し、仮固定金具はばね性を有し、上端部側が略くの字状で本体の側面側にくの字の突部が向くように形成され、本体の吊り枠への挿入固定時に、仮固定金具係合部は仮固定金具を外方へ弾性変形させ、仮固定金具を通過後に本体の自重によって仮固定金具の略くの字状の突部に係合して本体を仮固定する構成としたことにより、メンテナンス時に本体を下方に降ろす場合、仮固定金具を吊り枠から取り外さなくても本体を取り外すことができ、メンテナンス時の作業性も向上する。
【００２６】
また、本体の側面に膨出して下方に開口した仮固定金具係合部に変えて、本体の側面に仮固定金具の略くの字状の突部が係合する開口を設けたことにより、メンテナンス時に、仮固定状態の係合をスムーズに解除することができる。
【発明を実施するための最良の形態】
【００２７】
本発明の請求項１記載の浴室換気乾燥機は、本体の対向する側面に外方に膨出し下方を開口した仮固定金具係合部を形成し、吊り枠に下端部を固着し上方に向けて仮固定金具を立設し、前記仮固定金具はばね性を有し、下方から取り外し自在に設けられるとともに、前記本体の前記吊り枠への挿入固定時に、前記仮固定金具係合部は前記仮固定金具を外方へ弾性変形させ、前記仮固定金具を通過後に前記本体の自重によって前記仮固定金具の上端部に係合して前記本体を仮固定する構成としたものであり、本体の天井への取付け時に、本体を下方から吊り枠に挿入して押し上げると、押し上げ後にその力を緩めても、仮固定金具係合部の開口部に仮固定金具の上端部が係合して本体は仮固定され、安定した状態で本体の吊り枠への固定作業ができ、そして、メンテナンス時には、仮固定金具を下方から取り外すことによって、本体を吊り枠から取り外して下方に降ろすことができるという作用を有する。
【００２８】
また、請求項２記載の浴室換気乾燥機は、仮固定金具係合部は、下方が開口した袋状に形成されたものであり、仮固定金具係合部の上部側は袋状の閉じた側になるので、その形状が滑らかであり、仮固定金具を弾性変形させながら本体を上方へ押し上げる際に、スムーズに押し上げることができることとなる。
【００２９】
また、請求項３記載の浴室換気乾燥機は、仮固定金具は、上部側が本体の側面側に向くように傾斜した形状としたものであり仮固定金具の上端部を仮固定金具係合部の開口に容易に係合させることができることとなる。
【００３０】
また、請求項４記載の浴室換気乾燥機は、仮固定金具は、上下方向の中途部分が本体の側面側に向くように傾斜した形状としたものであり、仮固定金具上端部の仮固定金具係合部の開口部への指向性を高めることができる。
【００３１】
また、請求項５記載の浴室換気乾燥機は、仮固定金具は、対向する上端部間の寸法を本体の対向する側面間の寸法より若干小さくしたものであり、仮固定金具の上端部は、仮固定金具係合部との係合時に本体の側面にかならず当接しているので、その係合を確実に達成することができることとなる。
【００３２】
また、請求項６記載の浴室換気乾燥機は、仮固定金具の上端部に、本体の仮固定時に仮固定金具係合部の開口部に当接する水平片を形成したものであり、仮固定金具が仮固定金具係合部の開口部に嵌合して係合するのではなく、その上端部の水平片が仮固定金具係合部の開口部に当接して係合するので、係合の確実性が高まるとともに、安定した状態で係合を保持することができることとなる。
【００３３】
また、請求項７記載の浴室換気乾燥機は、仮固定金具の水平片の大きさを仮固定金具係合部の開口部より大きく形成したものであり、請求項６における仮固定金具の水平片と仮固定金具係合部の開口部との当接が確実に達成されることとなる。
【００３４】
また、請求項８記載の浴室換気乾燥機は、仮固定金具の水平片の両端部に、上方に折曲した垂直片を形成したものであり、請求項７における仮固定金具の水平片と仮固定金具係合部の開口部との当接が、水平片部の両端の垂直片で確実に達成されることとなる。
【００３５】
また、請求項９記載の浴室換気乾燥機は、本体の対向する側面に外方に膨出し下方を開口した仮固定金具係合部を形成し、吊り枠に下端部を固着し上方に向けて仮固定金具を立設し、前記仮固定金具はばね性を有し、上端部側が略くの字状で本体の側面側にくの字の突部が向くように形成され、前記本体の前記吊り枠への挿入固定時に、前記仮固定金具係合部は前記仮固定金具を外方へ弾性変形させ、前記仮固定金具を通過後に前記本体の自重によって前記仮固定金具の略くの字状の突部に係合して前記本体を仮固定する構成としたものであり、仮固定金具係合部の開口に係合する仮固定金具の突部は、略くの字状に形成されているので、仮固定時に本体を下方に引く力を加えることによって、係合が外れることとなる。
【００３６】
また、請求項１０記載の浴室換気乾燥機は、本体の側面に膨出して下方に開口した仮固定金具係合部に変えて、本体の側面に仮固定金具の略くの字状の突部が係合する開口を設けたものであり、仮固定金具の係合は、本体側面に設けた開口に係合するので、この係合の解除をスムーズに行うことができる。
【００３７】
以下、本発明の実施の形態について、図１〜図１４を参照しながら説明する。
【００３８】
（実施の形態１）
図１〜図３に示すように、浴室換気乾燥機１は、浴室内の空気を循環用吸込み口５ａから吸い込んで循環用吹出し口５ｂから再度浴室内に吹き出す循環用送風機２と、循環用吹出し口５ｂに設けられ、循環させる浴室内の空気を暖めるヒーター（図示せず）と、浴室内の空気を換気用吸込み口５ｃから吸い込んで換気用吐出口５ｄを経て屋外へ排気する換気用送風機３とを内蔵し、下面外方に延設した鍔状のフランジ４を有する本体５と、本体５の下方に装着され、埃を捕集するフィルター（図示せず）を設けたフロントパネル６とからなる。
【００３９】
そして、浴室換気乾燥機１を浴室の天井に固定するために、下面に外方へ延設した鍔状のフランジ７を有した吊り枠８を天井壁から吊り下げ固定している。吊り枠８にはフランジ７の対向する２つの辺に、ばね性を有した板材を略Ｌ字状に形成した仮固定金具９を、上方に向け上端部どうしが近づくように傾斜させて、ねじ１０により着脱自在に設けている。また、本体５の対向する側面１１（一方の側面のみ図示）には、外側に膨らんで突出し下方を開口した仮固定金具係合部１２を設けている。また、本体５のフランジ４には、仮固定金具９を固定しているねじ１０の頭が浴室側に露出するように、ねじ１０の頭と対向する位置に穴（図示せず）が設けられている。なお、吊り枠８の側面には、後述の設置施工時に仮固定金具係合部１２が上方に移動する際に引っかからないように、外側に向けて逃がし部１３を形成して、その逃がし部１３内に仮固定金具９を設けている。
【００４０】
上記構成の浴室換気乾燥機１を設置する施工について、以下に説明する。
【００４１】
まず、浴室の天井に開口し、あらかじめ浴室内の空気を排気するダクト（図示せず）を接続した排気アダプター１４を設けた吊り枠８を天井の開口に挿入して、この開口よりも大きいフランジ７を浴室側からねじ止めして取り付ける。その後、本体５を吊り枠８に下方から挿入していくが、仮固定金具係合部１２と対向する位置に吊り枠８の仮固定金具９が取り付けられているため、図４（ａ）に示すように、仮固定金具係合部１２が仮固定金具９に下方から摺接していくときに、仮固定金具９は吊り枠８の外側へ弾性変形する。そして、図４（ｂ）に示すように、仮固定金具９が仮固定金具係合部１２を完全に乗り越えると、仮固定金具９は元の形状に戻り、図４（ｃ）に示すように、仮固定金具９は本体５が自重によって降下して仮固定金具係合部１２の下部開口に収まり、施工者が本体５から手を離しても、仮固定金具係合部１２と仮固定金具９が係合して本体５が引っ掛かり、仮固定金具係合部１２と仮固定金具９との距離しか降下しないため、施工者が安定した状態で本体５のフランジ４にねじを打って浴室の天井に固定設置することができる。
【００４２】
そして、メンテナンス時に本体５を取り外して降ろすときには、フランジ４には、仮固定金具９を固定しているねじ１０の頭が露出するように穴が設けられているので、浴室側から本体５を固定しているねじ（図示せず）を外して、一旦、本体５を仮固定金具９に引っ掛けた後、仮固定金具９を固定しているねじ１０を浴室側から外せば、仮固定金具９ごと本体５を降ろすことができる。
【００４３】
また、図５に示すように、仮固定金具係合部１２の形状を下方のみを開口した袋状にして上部を傾斜させることで、本体５を吊り枠８に押し上げて挿入するときに、仮固定金具９が傾斜に沿って弾性変形するため、本体５挿入時の抵抗になりにくく、スムーズに本体５を押し上げることができる。
【００４４】
また、図６に示すように、仮固定金具９の形状を、上下方向の中途から上部側を本体５の側面１１側に向くように傾斜した形状にすることで、仮固定金具係合部１２を乗り越えた後、施工者が本体５から手を離して仮固定するときに、仮固定金具係合部１２の開口に対して仮固定金具９が容易に収まる。
【００４５】
そして、図７に示すように、仮固定金具９の形状を上下方向の中途部分１５が本体５の側面１１側に向くように傾斜させることで、本体５を押し上げて仮固定金具係合部１２が仮固定金具９を弾性変形させて摺接していき、仮固定金具９を通過した後、施工者が本体５から手を離して仮固定するときに、仮固定金具９を仮固定金具係合部１２の開口に対して指向性をもって確実に挿入できる。
【００４６】
また、図８に示すように、仮固定金具９の対向する上端部間の寸法Ａを本体５の対向する側面１１間の寸法Ｂよりも若干小さくすることで、本体５を押し上げて仮固定金具係合部１２が仮固定金具９を通過した後、仮固定金具９の上端部は、本体５の側面１１に常に接触しているので、仮固定金具係合部１２の開口に確実に係合する。
【００４７】
このように、本発明の実施の形態１の浴室換気乾燥機１によれば、本体５を吊り枠８を使用して浴室の天井に設置する作業において、本体５の押し上げがスムーズになるとともに、本体５の仮固定が容易になって作業が安定し，  設置時の作業性が向上し、また、メンテナンス時に本体を下方へ容易に降ろすことができることとなる。
【００４８】
（実施の形態２）
本発明の実施の形態２の浴室換気乾燥機は、図９に示すように、上記実施の形態１の浴室換気乾燥機１に対し、仮固定金具９Ａが、上端部に中央部１６を残して水平方向に折曲形成した水平片１７を設けている点に特徴がある。
【００４９】
上記構成において、本体５を吊り枠８内に押し上げて挿入し、仮固定金具係合部１２が仮固定金具９Ａを完全に通過すると、仮固定金具９Ａが仮固定金具係合部１２の下側の開口に向って本体５の側面に当接する。この状態で、施工者が本体５から手を離すと、本体５がその自重で降下し、仮固定金具係合部１２の下側の開口に仮固定金具９Ａの上端部の水平片１７が当接するとともに、仮固定金具９Ａの上端部の中央部１６が仮固定金具係合部１２の下側の開口に挿入される。
【００５０】
このようにして、仮固定時の仮固定金具９Ａと仮固定金具係合部１２との係合の確実性が高まるとともに、安定した状態で係合を保持することができる。この状態で、施工者は浴室換気乾燥機の本体５を安定した状態で浴室の天井に施工できることとなる。
【００５１】
そして、図１０に示すように、仮固定金具９Ａの水平片１７の大きさを仮固定金具係合部１２の開口の寸法よりも大きくすることで、仮固定金具係合部１２と仮固定金具９Ａとの当接が確実に達成できる。
【００５２】
また、図１１に示すように、仮固定金具９Ａの水平片１７の両端部に、上方へ折曲した側方移動防止のための垂直片１８を設けることで、仮固定金具９Ａの水平片１７と仮固定金具係合部１２が当接すると、水平片１７の両端部に設けた垂直片１８が仮固定金具係合部１２の両側部を挟み込むように係合するため、仮固定金具９Ａと仮固定金具係合部１２との位置が決まり、より確実に当接できることとなる。このようにして、仮固定金具９Ａの水平片１７と仮固定金具係合部１２との当接が側方にずれてなされることがなくなる。
【００５３】
（実施の形態３）
本発明の実施の形態３の浴室換気乾燥機は、図１２に示すように、仮固定金具９Ｂを、上端部側が、略くの字状で本体５の側面１１側にくの字の突部９ｂが向くように形成して、対向する上端部のくの字の突部９ｂ間の寸法Ｃを本体５の対向する側面１１間の寸法Ｂよりも小さくした点に特徴がある。
【００５４】
上記構成において、本体５を吊り枠８内に押し上げて挿入し、仮固定金具係合部１２が仮固定金具９Ｂを完全に通過すると、仮固定金具９Ｂが仮固定金具係合部１２の下側の開口に向って本体５の側面１１に当接する。この状態で、施工者が本体５から手を離すと、本体５がその自重で下方へ降下し、仮固定金具係合部１２の下側の開口に仮固定金具９Ｂの上端部の略くの字状の突部９ｂが係合して、本体５を吊り枠８に仮固定できる。
【００５５】
そして、メンテナンス時に本体５を取り外して降ろすときには、浴室側から本体５を固定しているねじを外して、一旦、本体５を仮固定金具９Ｂに係合させた後、本体５に下方へ引く力を加えると、図１３に示すように、仮固定金具係合部１２が、仮固定金具９Ｂの突部９ｂのくの字を形成する上側の傾斜に沿って、仮固定金具９Ｂを外側へ弾性変形させながら移動し、突部９ｂを乗り越えると、仮固定金具係合部１２と仮固定金具９Ｂの係合が解除される。
【００５６】
そして、図１４に示すように、本体５の側面１１に膨出して下側が開口した仮固定金具係合部１２に変えて、本体の側面１１に仮固定金具９Ｂの突部９ｂが係合する開口１９を形成することで、メンテナンス時に本体５を取り外して降ろすときに、本体５の仮固定をスムーズに解除することができる。
【００５７】
すなわち、本体５を下方へ降ろすため、本体５に下方へ引く力を加えると、仮固定金具係合部１２に相当する開口１９の上縁と、仮固定金具９Ｂの突部９ｂの上側の傾斜との摺接により、仮固定金具９Ｂに対し水平外方向への力も生じて、仮固定金具９Ｂが外側へ弾性変形させられ、対向する仮固定金具９Ｂの突部９ｂ間の寸法Ｃが本体５の対向する側面１１間の寸法Ｂ以上になると係合が解除され、仮固定をスムーズに解除できる。
【００５８】
このように、本発明の実施の形態３の浴室換気乾燥機によれば、安定した状態で仮固定が保持され、設置作業性が向上するとともに、メンテナンス時に本体５を下方に降ろす場合、仮固定金具９Ｂを吊り枠８から取り外すことなく本体５を取り外すことができ、仮固定状態の係合をスムーズに解除することができ、メンテナンス時に作業性が向上する。
【産業上の利用可能性】
【００５９】
本発明に係る浴室換気乾燥機は、本体の天井への設置作業時に、本体を容易に仮固定することができるとともに、メンテナンス時に本体を容易に降ろすことができ、本発明は天井に設置する機器に有用である。
【図面の簡単な説明】
【００６０】
【図１】本発明の実施の形態１の浴室換気乾燥機を示す正面図
【図２】同浴室換気乾燥機の構成を示す斜視図
【図３】同浴室換気乾燥機の上方からの斜視図
【図４】同浴室換気乾燥機の取付を示す側面図
【図５】同浴室換気乾燥機の要部拡大斜視図
【図６】同浴室換気乾燥機の仮固定金具に構成付加した拡大斜視図
【図７】同浴室換気乾燥機の仮固定金具に他の構成付加した拡大斜視図
【図８】同浴室換気乾燥機の要部の寸法関係を示す側面図
【図９】本発明の実施の形態２の浴室換気乾燥機の要部拡大斜視図
【図１０】同浴室換気乾燥機の仮固定金具の寸法を特定した拡大斜視図
【図１１】同浴室換気乾燥機の仮固定金具に構成付加した拡大斜視図
【図１２】本発明の実施の形態３の浴室換気乾燥機を示す側面図
【図１３】同浴室換気乾燥機の要部拡大斜視図
【図１４】同浴室換気乾燥機の仮固定金具係合部の他の形状を示す拡大斜視図
【図１５】従来の浴室換気乾燥機を示す側面図
【符号の説明】
【００６１】
１    浴室換気乾燥機
２    循環用送風機
３    換気用送風機
５    本体
８    吊り枠
９    仮固定金具
９Ａ  仮固定金具
９Ｂ  仮固定金具
９ｂ  突部
１０  ねじ
１１  側面
１２  仮固定金具係合部
１５  中途部分
１７  水平片
１８  垂直片
１９  開口
【図１】
2010038424.tif 000003
【図２】
2010038424.tif 000004
【図３】
2010038424.tif 000005
【図４】
2010038424.tif 000006
【図５】
2010038424.tif 000007
【図６】
2010038424.tif 000008
【図７】
2010038424.tif 000009
【図８】
2010038424.tif 000010
【図９】
2010038424.tif 000011
【図１０】
2010038424.tif 000012
【図１１】
2010038424.tif 000013
【図１２】
2010038424.tif 000014
【図１３】
2010038424.tif 000015
【図１４】
2010038424.tif 000016
【図１５】
2010038424.tif 000017